(57)【特許請求の範囲】
【請求項１】
被搬送物を受け入れるシュータと、該シュータから送り出された被搬送物を順次受け入れ、作業者が把手を持って引き出せるようにした引き出し棚と、前記シュータの被搬送物の送り出し位置に配設した引き出し棚の動作に連動して動作する被搬送物のストッパ機構とを備えた物流用棚装置であって、前記ストッパ機構が、引き出し棚が収納状態のとき解除されてシュータから被搬送物を引き出し棚に受け入れ、引き出し棚が引き出されることにより引き出し棚に受け入れた被搬送物の後部底面を上方に持ち上げながら起立し、シュータ上の後続の被搬送物の前面に当接して該被搬送物のシュータからの送り出しを停止するようにしたストッパ片を備えるとともに、前記引き出し棚に、引き出し棚が引き出されるのに合わせて、ストッパ片に固定された揺動軸を回動させることにより、収納状態から、ストッパ片の上部が前記引き出し棚に受け入れた被搬送物の後部底面に当接してその後部底面を上方に持ち上げながら起立状態となるようにする操作杆を固定して設けたことを特徴とする物流用棚装置。
【請求項２】
引き出し棚が引き出される際に、引き出し棚の被搬送物載置部を、ストッパ機構によって後部底面を上方に持ち上げられた被搬送物の底面に沿うように傾斜させる傾斜機構を設けたことを特徴とする請求項１記載の物流用棚装置。
【請求項３】
複数の引き出し棚を上下方向に並設するようにしたことを特徴とする請求項１又は２記載の物流用棚装置。
【発明の詳細な説明】
【技術分野】
【０００１】
本発明は、物流用棚装置に関し、例えば、電機・機械製品の組立工場において箱詰めされた電機・機械部品を作業者が取り出して所定の組立作業をするため等に用いられる物流用棚装置に関するものである。
【背景技術】
【０００２】
従来、物流用棚装置として、例えば、箱詰めされた電機・機械部品を作業者が箱から取り出し、電機・機械部品を取り出した後の空箱を、重力を利用して所定の場所まで搬送するようにした物流用棚装置が提案されている（例えば、特許文献１参照）。
【０００３】
この物流用棚装置は、作業者に向けて下向きに傾斜する供給棚と、排出側に向けて下向きに傾斜する排出棚と、供給棚及び排出棚の傾斜に沿うように揺動可能に設けられた切替棚とを備えるようにしている。
この物流用棚装置は、切替棚が供給棚の傾斜に沿った姿勢とされた状態で被搬送物である箱を供給棚から切替棚に供給、搬送し、例えば、箱詰めされた電機・機械部品を作業者が箱から取り出し、電機・機械部品を取り出した後の空箱は、排出棚の傾斜に沿うよう揺動させた切替棚から排出棚に供給、搬送するようにしている。
【０００４】
ところで、上記物流用棚装置は、電機・機械部品を取り出した後の空箱等の使用済みの被搬送物を、切替棚から排出棚に供給、搬送することができる反面、１つの物流用棚装置の作業者に対する対面専有面積が広くなるため、１人の作業者に対して複数の物流用棚装置を設置することが困難で、このため、例えば、種類の異なる電機・機械部品を収容した箱を供給位置を変えて作業者に供給できないという問題があった。
【特許文献１】実開平７−２３７１３号公報
【発明の開示】
【発明が解決しようとする課題】
【０００５】
本発明は、上記の物流用棚装置の有する問題点に鑑み、１人の作業者に対して複数の物流用棚装置を設置することが可能で、例えば、種類の異なる電機・機械部品を収容した箱を供給位置を変えて作業者に供給することができる物流用棚装置を提供することを目的とする。
【課題を解決するための手段】
【０００６】
上記目的を達成するため、本発明の物流用棚装置は、被搬送物を受け入れるシュータと、該シュータから送り出された被搬送物を順次受け入れ、作業者が把手を持って引き出せるようにした引き出し棚と、前記シュータの被搬送物の送り出し位置に配設した引き出し棚の動作に連動して動作する被搬送物のストッパ機構とを備えた物流用棚装置であって、前記ストッパ機構が、引き出し棚が収納状態のとき解除されてシュータから被搬送物を引き出し棚に受け入れ、引き出し棚が引き出されることにより引き出し棚に受け入れた被搬送物の後部底面を上方に持ち上げながら起立し、シュータ上の後続の被搬送物の前面に当接して該被搬送物のシュータからの送り出しを停止するようにしたストッパ片を備えるとともに、前記引き出し棚に、引き出し棚が引き出されるのに合わせて、ストッパ片に固定された揺動軸を回動させることにより、収納状態から、ストッパ片の上部が前記引き出し棚に受け入れた被搬送物の後部底面に当接してその後部底面を上方に持ち上げながら起立状態となるようにする操作杆を固定して設けたことを特徴とする。
【０００７】
この場合において、引き出し棚が引き出される際に、引き出し棚の被搬送物載置部を、ストッパ機構によって後部底面を上方に持ち上げられた被搬送物の底面に沿うように傾斜させる傾斜機構を設けることができる。
【０００８】
また、複数の引き出し棚を上下方向に並設するようにすることができる。
【発明の効果】
【０００９】
本発明の物流用棚装置によれば、被搬送物を受け入れるシュータと、該シュータから送り出された被搬送物を順次受け入れ、引き出せるようにした引き出し棚と、前記シュータの被搬送物の送り出し位置に配設した引き出し棚の動作に連動して動作する被搬送物のストッパ機構とを備えるようにしているので、例えば、複数の引き出し棚を上下方向に並設するようにすることにより、１人の作業者に対して複数の物流用棚装置を設置することが可能で、例えば、種類の異なる電機・機械部品を収容した箱を供給位置を変えて作業者に供給することができる。
そして、前記ストッパ機構を、引き出し棚が収納状態のとき解除されてシュータから被搬送物を引き出し棚に受け入れ、引き出し棚が引き出されることにより引き出し棚に受け入れた被搬送物の後部底面を上方に持ち上げながら起立し、シュータ上の後続の被搬送物の前面に当接して該被搬送物のシュータからの送り出しを停止するようにしているので、引き出し棚に受け入れた被搬送物とシュータ上の後続の被搬送物との間にストッパ機構を確実に挿入して、後続の被搬送物を停止することができる。
【００１０】
また、引き出し棚が引き出される際に、引き出し棚の被搬送物載置部を、ストッパ機構によって後部底面を上方に持ち上げられた被搬送物の底面に沿うように傾斜させる傾斜機構を設けることにより、引き出し棚に受け入れられ、ストッパ機構によって後部底面を上方に持ち上げられた被搬送物を、被搬送物に衝撃を与えることなく、そのままの状態で引き出すことができるとともに、引き出された被搬送物の後部側が上方に持ち上げられているため、被搬送物に収容された収容物の取り出しを容易に行うことができる。
【発明を実施するための最良の形態】
【００１１】
以下、本発明の物流用棚装置の実施の形態を、図面に基づいて説明する。
【００１２】
図１〜図５に、本発明の物流用棚装置の一実施例を示す。
この物流用棚装置は、特に限定されるものではないが、パイプ部材とその連結具とから構成されるとともに、搬送棚本体１に、例えば、上流側の供給棚（図示省略）から搬送されてくる被搬送物Ｗを受け入れる上面にローラを配設したシュータ２と、シュータ２から送り出された被搬送物Ｗを順次受け入れ、引き出せるようにした上面にローラを配設した被搬送物載置部３１を有する引き出し棚３と、シュータ２の被搬送物Ｗの送り出し位置に配設した引き出し棚３の動作に連動して動作する被搬送物Ｗのストッパ機構４とを備えるようにしている。
【００１３】
そして、この物流用棚装置は、例えば、図２に示すように、複数の物流用棚装置を、引き出し棚３が上下方向及び／又は横方向に並設するようにし、さらに必要に応じて、移動用のキャスター５を備えるようにしている。
これにより、１人の作業者に対して複数の物流用棚装置を設置することを可能とし、例えば、被搬送物Ｗとして、種類の異なる電機・機械部品を収容した箱を供給位置を変えて作業者に供給することができるようにしている。
【００１４】
この場合において、ストッパ機構４は、引き出し棚３が収納状態のとき解除されてシュータ２から被搬送物Ｗを引き出し棚３に受け入れ、引き出し棚３が引き出されることにより引き出し棚３に受け入れた被搬送物Ｗの後部底面を上方に持ち上げながら起立し、シュータ２上の後続の被搬送物Ｗの前面に当接してこの被搬送物Ｗのシュータ２からの送り出しを停止するようにするためのストッパ片４１を備えるようにしている。
【００１５】
このストッパ機構４は、より具体的には、図３及び図４に示すように、搬送棚本体１を構成する水平方向のパイプ部材１１に沿って摺動するようにした引き出し棚３の枠体３０に固定した操作杆４２によって、引き出し棚３が引き出されるのに合わせて、ストッパ片４１を固定した揺動軸４０に配設した被操作片４３を操作することにより、揺動軸４０を回動し、ストッパ片４１を収納状態（図４（ａ））から揺動させ（図４（ｂ））、起立状態（図４（ｃ））になるようにしている。
なお、本実施例においては、ストッパ片４１は、無負荷のとき、ばね等の付勢手段（図示省略）によって、収納状態（図４（ａ））になるようにしている。
また、引き出し棚３の引き出し操作は、作業者が引き出し棚３の枠体３０の前端部に形成した把手３０ａを持って行うようにしている。
【００１６】
これにより、引き出し棚３に受け入れた被搬送物Ｗとシュータ２上の後続の被搬送物Ｗとの間にストッパ機構４のストッパ片４１を確実に挿入して、シュータ２上の後続の被搬送物Ｗを停止することができるようにしている。
【００１７】
また、引き出し棚３は、引き出し棚３の枠体３０に、揺動軸３０ｂを介して、上面にローラを配設した被搬送物載置部３１を揺動可能に配設するようにしている。
被搬送物載置部３１は、固定ストッパ片３１ａと、この固定ストッパ片３１ａと一体に構成した、上面にローラを配設した載置部３１ｂと、載置部３１を支持する支持片３１ｄを備え、揺動軸３０ｂを介して、固定ストッパ片３１ａ及び載置部３１ｂと独立して揺動可能に構成した支持杆３１ｃとで構成するようにしている。
【００１８】
そして、引き出し棚３は、引き出し棚３が引き出される際に、引き出し棚３の被搬送物載置部３１を、ストッパ機構４のストッパ片４１によって後部底面を上方に持ち上げられた被搬送物Ｗの底面に沿うように傾斜させる傾斜機構３２を設けるようにしている。
【００１９】
この傾斜機構３２は、より具体的には、図５に示すように、搬送棚本体１に固定した乗り上げ台３２ａと、被搬送物載置部３１の支持杆３１ｃの端部に形成した乗り上げ用突片３２ｂとからなり、引き出し棚３が引き出されるのに合わせて、支持杆３１ｃが略水平の状態（図５（ａ））から、乗り上げ用突片３２ｂが乗り上げ台３２ａに乗り上げることにより、引き出し棚３の被搬送物載置部３１の載置部３１ｂを、後部側が上方に傾斜するようになる支持杆３１ｃの支持片３１ｄを介して、ストッパ機構４のストッパ片４１によって後部底面を上方に持ち上げられた被搬送物Ｗの底面に沿うように後部側を上方に傾斜させる（図５（ｂ））ようにしている。
【００２０】
これにより、引き出し棚３に受け入れられ、ストッパ機構４によって後部底面を上方に持ち上げられた被搬送物Ｗを、被搬送物Ｗに衝撃を与えることなく、そのままの状態で引き出すことができるとともに、引き出された被搬送物Ｗの後部側が上方に持ち上げられているため、被搬送物Ｗに収容された収容物の取り出しを容易に行うことができるようにしている。
【００２１】
そして、被搬送物Ｗに収容された収容物の取り出しが完了すると、作業者が引き出し棚３に受け入れられている被搬送物Ｗを除去し、引き出し棚３を押し操作することにより、上記とは逆の動作により、引き出し棚３の被搬送物載置部３１の支持杆３１ｃが略水平の状態（図５（ａ））となり、また、ストッパ片４１が収納状態（図４（ａ））となる当初状態に復帰させるようにし、以下、同様にして、シュータ２から被搬送物Ｗを引き出し棚３に受け入れ、必要な作業を行うようにする。
【００２２】
以上、本発明の物流用棚装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明の物流用棚装置は、１人の作業者に対して複数の物流用棚装置を設置することが可能で、種類の異なる電機・機械部品を収容した箱を供給位置を変えて作業者に供給することができることから、例えば、電機・機械製品の組立工場において箱詰めされた電気部品を作業者が取り出して所定の組立作業をするため等に用いられる物流用棚装置の用途に好適に用いることができる。
【図面の簡単な説明】
【００２４】
【図１】本発明の物流用棚装置の一実施例を示す斜視図である。
【図２】同物流用棚装置において、複数の引き出し棚を並設するようにした例を示す全体斜視図である。
【図３】同物流用棚装置の要部を示す斜視図である。
【図４】同物流用棚装置のストッパ機構の動作を示す説明図である。
【図５】同物流用棚装置の傾斜機構の動作を示す説明図である。
【００２５】
１    搬送棚本体
１１  パイプ部材
２    シュータ
３    引き出し棚
３０  枠体
３０ａ  把手
３１  被搬送物載置部
３１ａ  固定ストッパ片
３１ｂ  載置部
３１ｃ  支持杆
３１ｄ  支持片
３２  傾斜機構
３２ａ  乗り上げ台
３２ｂ  乗り上げ用突片
４    ストッパ機構
４０  揺動軸
４１  ストッパ片
４２  操作杆
４３  被操作片
Ｗ    被搬送物
【図１】
0004777073.tif 000002
【図２】
0004777073.tif 000003
【図３】
0004777073.tif 000004
【図４】
0004777073.tif 000005
【図５】
0004777073.tif 000006